(57)【要約】【課題】パッチによる補正の効果を妨げることなく、表裏倍率切り替え制御と紙間パッチ制御とを両立すること。【解決手段】中間転写体６上にトナー像を形成する画像形成部１０３と、画像形成部１０３を制御する全体制御部３０と、用紙の表面と裏面との画像倍率を調整するポリゴンモータ制御部３３と、を備え、中間転写体６上における転写用のトナー像領域の間にパッチトナー像を形成するように画像形成部１０３を全体制御部３０が制御する画像形成装置であって、全体制御部３０は、ポリゴンモータ制御部３３による画像倍率の調整の際には、画像形成部１０３の動作条件を補正するための補正用のパッチトナー像については中間転写体６上に形成しないように画像形成部１０３を制御する。【選択図】図１
2011100035.tif 000002
【特許請求の範囲】
【請求項１】
像担持体上にトナー像を形成する画像形成部と、
前記画像形成部を制御する制御部と、
前記用紙の表面と裏面との画像倍率を調整する倍率調整部と、を備え、
前記像担持体上における転写用のトナー像領域の間にパッチトナー像を形成するように前記画像形成部を前記制御部が制御する画像形成装置であって、
前記制御部は、
前記倍率調整部による前記画像倍率の調整の際には、前記画像形成部の動作条件を補正するための補正用のパッチトナー像については前記像担持体上に形成しないように前記画像形成部を制御する画像形成装置。
【請求項２】
前記制御部は、
前記倍率調整部による前記画像倍率の調整の際に、安定した現像性を確保するための消費用のパッチトナー像は形成するように前記画像形成部を制御する請求項１に記載の画像形成装置。
【請求項３】
前記制御部は、
前記画像形成部により前記パッチトナー像が形成された後、前記倍率調整部に前記画像倍率を調整させるか、又は前記倍率調整部により前記画像倍率が調整された後、前記画像形成部に前記パッチトナー像を形成させるか、少なくとも何れか一方である請求項１又は２に記載の画像形成装置。
【請求項４】
前記制御部は、
前記画像倍率の調整と前記補正用のパッチトナー像の形成とを順に実施する実施時間が、両面に画像形成される用紙間の間隔時間に収まる場合は、前記倍率調整部に前記画像倍率の調整及び前記画像形成部に前記補正用のパッチトナー像の形成を順に実施させ、前記実施時間が前記間隔時間に収まらない場合は、前記倍率調整部に前記画像倍率の調整のみを実施させる請求項１から３のいずれか一項に記載の画像形成装置。
【請求項５】
前記制御部は、
前記倍率調整部による前記画像倍率の調整時には、前記パッチトナー像を形成しないように前記画像形成部を制御する請求項１から４のいずれか一項に記載の画像形成装置。
【発明の詳細な説明】
【技術分野】
【０００１】
本発明は、画像形成装置に関する。
【背景技術】
【０００２】
従来より、感光体や中間転写体などの像担持体上に所定のパッチトナー像を形成して、そのパッチトナー像に基づいて、画像の濃度補正、階調補正等を行う画像形成装置が知られている。
【０００３】
例えば、システムの立ち下げを行うことなく、トナーパターン（パッチトナー像）の形成タイミング及び検出タイミングを制御する技術が知られている（例えば、特許文献１参照）。また、レジストパターン（パッチトナー像）形成時に画像形成を中断することなく実行することにより、レジスト補正時に中断する画像形成の時間を短縮する技術も知られている。（例えば、特許文献２参照）。
【先行技術文献】
【特許文献】
【０００４】
【特許文献１】特開２００７−１２１９０７号公報
【特許文献２】特開２００７−２６４３０２号公報
【発明の概要】
【発明が解決しようとする課題】
【０００５】
画像形成装置では、用紙を片面ごとに定着部に通し、用紙上のトナー像を定着させる処理が行われる。このとき、定着時の熱により用紙に縮みが生じる。このため、両面に画像形成を行う場合は、表裏（表面と裏面）の画像位置の精度を上げるために表裏の画像サイズ（画像倍率）を微調整する必要がある。  
【０００６】
表裏の画像倍率を微調整する制御（表裏倍率切り替え制御）としては、画像形成プロセスのスピード（感光体ドラムや中間転写体の駆動スピード）を調整する手法やポリゴンモータの駆動速度を調整する手法などがある。このような手法を用いる場合、調整に時間がかかるため、調整に必要な時間（調整時間）分、待ち時間を設けている。
【０００７】
この待ち時間の間に、パッチトナー像（パッチ）の形成制御（紙間パッチ制御）を実行するタイミングとなることもある。すなわち、表裏倍率切り替え制御と紙間パッチ制御とを実行するタイミングが重なってしまうことがある。
【０００８】
この場合において、例えば、調整時間の完了を待たずに紙間パッチ制御によりパッチを形成すると、パッチが正常に形成されずに、所望の補正の効果が得られない。このため、パッチによる補正の効果を妨げることなく、表裏倍率切り替え制御と紙間パッチ制御とを両立することができなかった。
【０００９】
また、上述の特許文献１，２には、表裏倍率切り替え制御と紙間パッチ制御とを実行するタイミングが重なった場合に、パッチによる補正の効果を妨げずに、両処理を両立して制御する技術は記載されていない。
【００１０】
本発明の課題は、パッチによる補正の効果を妨げることなく、表裏倍率切り替え制御と紙間パッチ制御とを両立することである。
【課題を解決するための手段】
【００１１】
上記課題を解決するため、請求項１に記載の発明の画像形成装置は、
像担持体上にトナー像を形成する画像形成部と、
前記画像形成部を制御する制御部と、
前記用紙の表面と裏面との画像倍率を調整する倍率調整部と、を備え、
前記像担持体上における転写用のトナー像領域の間にパッチトナー像を形成するように前記画像形成部を前記制御部が制御する画像形成装置であって、
前記制御部は、
前記倍率調整部による前記画像倍率の調整の際には、前記画像形成部の動作条件を補正するための補正用のパッチトナー像については前記像担持体上に形成しないように前記画像形成部を制御する。
【００１２】
請求項２に記載の発明は、請求項１に記載の画像形成装置において、
前記制御部は、
前記倍率調整部による前記画像倍率の調整の際に、安定した現像性を確保するための消費用のパッチトナー像は形成するように前記画像形成部を制御する。
【００１３】
請求項３に記載の発明は、請求項１又は２に記載の画像形成装置において、
前記制御部は、
前記画像形成部により前記パッチトナー像が形成された後、前記倍率調整部に前記画像倍率を調整させるか、又は前記倍率調整部により前記画像倍率が調整された後、前記画像形成部に前記パッチトナー像を形成させるか、少なくとも何れか一方である。
【００１４】
請求項４に記載の発明は、請求項１から３のいずれか一項に記載の画像形成装置において、
前記制御部は、
前記画像倍率の調整と前記補正用のパッチトナー像の形成とを順に実施する実施時間が、両面に画像形成される用紙間の間隔時間に収まる場合は、前記倍率調整部に前記画像倍率の調整及び前記画像形成部に前記補正用のパッチトナー像の形成を順に実施させ、前記実施時間が前記間隔時間に収まらない場合は、前記倍率調整部に前記画像倍率の調整のみを実施させる。
【００１５】
請求項５に記載の発明は、請求項１から４のいずれか一項に記載の画像形成装置において、
前記制御部は、
前記倍率調整部による前記画像倍率の調整時には、前記パッチトナー像を形成しないように前記画像形成部を制御する。      
【発明の効果】
【００１６】
本発明によれば、パッチによる補正の効果を妨げることなく、表裏倍率切り替え制御と紙間パッチ制御とを両立することができる。
【図面の簡単な説明】
【００１７】
【図１】本発明に係る画像形成装置の構成を示す図である。
【図２】画像形成装置の制御ブロック図を示す図である。
【図３】（Ａ）は補正パッチを示す図である。（Ｂ）は消費パッチを示す図である。
【図４】パッチ作成処理を示すフローチャートである。
【図５】変形処理１を示すフローチャートである。
【図６】変形処理２を示すフローチャートである。
【発明を実施するための形態】
【００１８】
以下、添付図面を参照して本発明に係る実施の形態を詳細に説明する。ただし、発明の範囲は、図示例に限定されない。
【００１９】
先ず、図１を参照して、本実施の形態の画像形成装置１００の装置構成を説明する。図１に示すように、画像形成装置１００は、画像形成装置本体１０１と、画像形成装置本体１０１の上部の画像読取装置１０２と、を備える。画像読取装置１０２は、自動原稿給紙装置２０１と、原稿画像走査露光装置２０２と、を備える。
【００２０】
自動原稿給紙装置２０１の原稿台に載置された原稿ｄは搬送手段により搬送され、原稿画像走査露光装置２０２の光学系により原稿の片面又は両面の画像が走査露光され、原稿画像を反映する入射光がラインイメージセンサＣＣＤに読み込まれる。
【００２１】
上記ラインイメージセンサＣＣＤにより光電変換されたアナログ画像信号は、アナログ処理、Ａ／Ｄ変換、シェーディング補正及び画像圧縮処理等が施され、デジタルの画像データとなる。このデジタルの画像データ（デジタル画像データ）は、画像書き込みユニット３Ｙ，３Ｍ，３Ｃ，３Ｋへ入力される。
【００２２】
画像形成装置本体１０１は、複数の感光体ドラム１Ｙ，１Ｍ，１Ｃ，１Ｋが縦列に配置されたタンデム型のカラー用の画像形成装置であり、画像形成部１０３を備える。
【００２３】
画像形成部１０３は、画像形成ユニット１０Ｙ，１０Ｍ，１０Ｃ，１０Ｋと、像担持体としての中間転写体６と、２次転写ローラ７Ａと、中間転写体用クリーニング手段８Ａと、再給紙機構（ＡＤＵ機構）を含む給紙搬送部（図示略）と、トナー像を定着させるための定着装置１７と、を備える。
【００２４】
感光体ドラム１Ｙ，１Ｍ，１Ｃ，１Ｋの各々は、それぞれ順に、画像形成ユニット１０Ｙ，１０Ｍ，１０Ｃ，１０Ｋに設けられている。以下、各部の符号のＹ、Ｍ、Ｃ、Ｋは、それぞれ順に、イエロー色、マゼンタ色、シアン色、黒色を表すものとする。
【００２５】
Ｙ色の画像を形成する画像形成ユニット１０Ｙは、Ｙ色のトナー像が形成される感光体ドラム１Ｙと、感光体ドラム１Ｙの周囲に配置された、感光体ドラム１Ｙ表面を帯電するＹ色用の帯電手段２Ｙと、その帯電面に画像パターンを露光して静電潜像を形成する画像書き込みユニット３Ｙと、その潜像面をＹ色のトナーで現像しトナー像を形成する現像装置４Ｙと、中間転写体６へのトナー像の転写後にトナーを除去する感光体ドラム用クリーニング手段８Ｙと、を有する。
【００２６】
Ｍ色の画像を形成する画像形成ユニット１０Ｍは、同様に、Ｍ色のトナー像が形成される感光体ドラム１Ｍと、感光体ドラム１Ｍの周囲に配置されたＭ色用の帯電手段２Ｍ、画像書き込みユニット３Ｍ、現像装置４Ｍ及び感光体ドラム用クリーニング手段８Ｍを有する。
【００２７】
Ｃ色の画像を形成する画像形成ユニット１０Ｃは、同様に、Ｃ色のトナー像が形成される感光体ドラム１Ｃと、感光体ドラム１Ｃの周囲に配置されたＣ色用の帯電手段２Ｃ、画像書き込みユニット３Ｃ、現像装置４Ｃ及び感光体ドラム用クリーニング手段８Ｃを有する。
【００２８】
Ｋ色の画像を形成する画像形成ユニット１０Ｋは、同様に、Ｋ色のトナー像が形成される感光体ドラム１Ｋ、感光体ドラム１Ｋの周囲に配置されたＫ色用の帯電手段２Ｋ、画像書き込みユニット３Ｋ、現像装置４Ｋ及び感光体ドラム用クリーニング手段８Ｋを有する。
【００２９】
また、画像形成ユニット１０Ｙ，１０Ｍ，１０Ｃ，１０Ｋは、中間転写体６上に形成されたトナー像領域間（用紙に転写する画像領域の間：以下、紙間と記す）に、所定パターンのパッチトナー像（パッチ）を形成（作成）する機能を有する。
【００３０】
帯電手段２Ｙ及び画像書き込みユニット３Ｙと、帯電手段２Ｍ及び画像書き込みユニット３Ｍと、帯電手段２Ｃ及び画像書き込みユニット３Ｃと、帯電手段２Ｋ及び画像書き込みユニット３Ｋとは、それぞれ、感光体ドラム１Ｙ，１Ｍ，１Ｃ，１Ｋに色毎の静電潜像を形成する。
【００３１】
画像書き込みユニット３Ｙ，３Ｍ，３Ｃ，３Ｋの各々は、デジタル画像データに基づくレーザー光を出力するレーザー出力部とレーザー光を主走査方向に走査させる走査ミラー（ポリゴンミラー）とを有する。具体的には、画像書き込みユニット３Ｙ，３Ｍ，３Ｃ，３Ｋの各々は、デジタル画像データに基づくレーザー光をポリゴンミラーにより走査して、感光体ドラム１Ｙ，１Ｍ，１Ｃ，１Ｋを露光する。これにより、感光体ドラム１Ｙ，１Ｍ，１Ｃ，１Ｋ上に画像の潜像（静電潜像）が形成される。
【００３２】
現像装置４Ｙ，４Ｍ，４Ｃ，４Ｋは、静電潜像が形成された感光体ドラム１Ｙ，１Ｍ，１Ｃ，１Ｋの表面に帯電したトナーを付着させて静電潜像を現像する。現像装置４Ｙ，４Ｍ，４Ｃ，４Ｋによる現像は、使用するトナー極性と同極性（本実施の形態においては、負極性）の直流電圧に交流電圧を重畳した現像バイアスを用いた反転現像に基づくものである。
【００３３】
像担持体としての中間転写体６は、環状のベルト部が回転動作可能に保持される。現像装置４Ｙ，４Ｍ，４Ｃ，４Ｋにより感光体ドラム１Ｙ，１Ｍ，１Ｃ，１Ｋ上に形成されたトナー像は、中間転写体６の表面に転写される。
【００３４】
ここで、上記した画像形成装置１００による画像形成プロセスの概要について述べる。画像形成ユニット１０Ｙ，１０Ｍ，１０Ｃ，１０Ｋにより形成された各色の画像は、使用するトナーと反対極性（本実施の形態においては、正極性）の１次転写バイアスが印加される１次転写ローラ７Ｙ，７Ｍ，７Ｃ，７Ｋにより、回転動作する中間転写体６のベルト表面に逐次転写されて（１次転写）、合成されたカラー画像（カラートナー像）が形成される。カラー画像は中間転写体６から用紙Ｐへ転写される。
【００３５】
給紙カセット２０Ａ，２０Ｂ，２０Ｃ内に収容された用紙Ｐは、給紙カセット２０Ａ，２０Ｂ，２０Ｃにそれぞれ設けられている送り出しローラ２１及び給紙ローラ２２Ａにより給紙され、搬送ローラ２２Ｂ，２２Ｃ，２２Ｄ、レジストローラ２３等を経て、２次転写ローラ７Ａに搬送され、用紙Ｐの一方の面（表面又は裏面）にカラー画像が転写される（２次転写）。
【００３６】
そして、定着装置１７により用紙Ｐが加熱されてカラー画像が用紙Ｐに定着される。これにより、用紙Ｐにカラー画像が画像形成される。そして、画像形成された用紙Ｐは、排紙ローラ２４により挟持されて機外の排紙トレイ２５に載置される。転写後の感光体ドラム１Ｙ，１Ｍ，１Ｃ，１Ｋの周面上に残る転写残トナーは、感光体ドラム用クリーニング手段８Ｙ，８Ｍ，８Ｃ，８Ｋによりクリーニングされ次の画像形成サイクルに移行する。
【００３７】
両面画像形成時には、一方の面（表面）に画像形成され、定着装置１７から排出された用紙Ｐは、分岐手段２６によりシート排紙路から分岐される。そして、用紙Ｐは、下方の循環通紙路２７Ａを経て、反転搬送路２７Ｂにより表裏が反転され、再給紙搬送路２７Ｃを通過して、搬送ローラ２２Ｄにおいて合流する。
なお、本実施の形態では、分岐手段２６、循環通紙路２７Ａ、反転搬送路２７Ｂ及び再給紙搬送路２７Ｃを総称して再給紙機構（ＡＤＵ機構）と記す。
【００３８】
反転搬送された用紙Ｐは、レジストローラ２３を経て再度２次転写ローラ７Ａに搬送され、他方の面（裏面）にカラー画像が転写される。カラー画像が転写された用紙Ｐは、定着装置１７により定着処理され、排紙ローラ２４に挟持されて機外の排紙トレイ２５に載置される。一方、２次転写ローラ７Ａにより用紙Ｐにカラー画像が転写された後、用紙Ｐが分離された中間転写体６は、中間転写体用クリーニング手段８Ａにより残留トナーが除去される。
【００３９】
次に、図２を参照して、画像形成装置１００の制御ブロック図について説明する。
図２に示すように、画像形成装置１００は、制御部としての全体制御部３０と、操作部３１と、エンジン制御部３２と、倍率調整部としてのポリゴンモータ制御部３３と、給紙制御部３４と、紙間パッチ制御部３５と、を備えて構成される。
【００４０】
全体制御部３０は、ＣＰＵ（Central Processing Unit）、ＲＯＭ（Read  Only  Memory）、ＲＡＭ（Random Access Memory）等により構成される。具体的には、全体制御部３０は、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行し、画像形成装置１００の各部を集中制御する。
【００４１】
具体的には、全体制御部３０は、用紙の表面に画像形成させた後、用紙の表裏を反転させて用紙の裏面に画像形成させるように画像形成部１０３を制御する機能を有する。
また、全体制御部３０は、画像形成部１０３の動作条件（画像形成動作に関わる条件：例えば、感光体ドラム１Ｙ，１Ｍ，１Ｃ，１Ｋの動作に関わる条件等）を補正（感光体ドラム１Ｙ，１Ｍ，１Ｃ，１Ｋの表面電位を合わせる補正、濃度補正、階調補正等）するための補正用のパッチトナー像（補正パッチ）が形成されたとき、当該補正パッチに基づいて動作条件を補正する機能を有する。
さらに全体制御部３０は、表面と裏面との画像倍率の調整の際（表裏切り替えタイミング）に、紙間に補正パッチを形成しないように紙間パッチ制御部３５を介して画像形成部１０３の画像形成ユニット１０Ｙ，１０Ｍ，１０Ｃ，１０Ｋを制御する機能を有する。
【００４２】
操作部３１は、表裏モード有無設定部３１Ａと、表裏倍率設定部３１Ｂとを有する。表裏モード有無設定部３１Ａは、表裏見当精度モードを設定するための設定部である。表裏見当精度モードとは、用紙の表面と裏面とで画像倍率の調整をするかしないかを決定するモードのことをいう。
【００４３】
表裏倍率設定部３１Ｂは、用紙の表裏各々の倍率値（例えば、−１００〜＋１００ｓｔｅｐ、０．０１％／ｓｔｅｐの値）を設定するための設定部である。この様に表裏の画像倍率を微妙に調整できる様にすることで、プロダクトプリント分野で要求される高い画質に応えることが可能になる。
【００４４】
エンジン制御部３２は、全体制御部３０の指示に基づいて、ポリゴンモータ制御部３３、給紙制御部３４及び紙間パッチ制御部３５を制御する。
【００４５】
ポリゴンモータ制御部３３は、エンジン制御部３２の指示に基づいて、表裏倍率切り替え制御（表裏の画像倍率を微調整する制御）を行う。具体的には、ポリゴンモータ制御部３３は、ポリゴンモータ（図示省略）の駆動速度を制御する。ポリゴンモータの駆動速度が調整されると、ポリゴンミラー（図示省略）の回転速度が制御され、感光体ドラム１Ｙ，１Ｍ，１Ｃ，１Ｋへの露光スピードが調整される。これにより、表裏の画像の倍率が調整される。すなわち、ポリゴンモータ制御部３３によりポリゴンモータの駆動速度が制御されることにより、表裏の画像倍率が微調整される。
【００４６】
給紙制御部３４は、エンジン制御部３２の指示に基づいて、両面循環枚数を決定する。両面循環枚数とは、ＡＤＵ機構内で循環する用紙の枚数のことである。
【００４７】
紙間パッチ制御部３５は、エンジン制御部３２の指示に基づいて、紙間パッチ制御（パッチの作成制御）を行う。具体的には、紙間パッチ制御部３５は、紙間にパッチトナー像としての補正パッチ（図３参照）又は消費パッチ（図３参照）を作成するのか否かについての制御、又はいずれかのパッチを作成しないのかについての制御を行う。例えば、紙間パッチ制御部３５により、補正パッチを作成する旨の制御が行われると、画像形成部１０３の画像形成ユニット１０Ｙ，１０Ｍ，１０Ｃ，１０Ｋにより補正パッチが作成される。
【００４８】
次に、図３を参照して、転写用のトナー像領域の間である紙間に作成されるパッチについて説明する。図３（Ａ）は、補正パッチの一例を示した図である。補正パッチは、安定した画像を得るために、画像形成部１０３の画像形成条件を補正するためのパッチである。具体的には、補正パッチは、感光体の表面電位を合わせる補正、濃度補正、階調補正等に用いられる。図３（Ａ）に示す補正パッチ（固定パッチ）Ｐ１は、イエロー色で３０×２５ｍｍの補正パッチであり、パッチ（固定パッチ）Ｐ２は、マゼンタ色で３０×２５ｍｍの補正パッチである。また、シアン色、黒色の補正パッチについては、別の紙間に形成される。
【００４９】
図３（Ｂ）は、消費パッチの一例である。紙間に消費パッチが作成されることにより、古いトナーが使用される。これにより、画像形成ユニット内のトナーの入れ替えが行われ、安定した現像性が確保される。
【００５０】
次に、図４を参照して、画像形成装置１００で実行されるパッチ作成処理について説明する。パッチ作成処理は、表裏倍率の切り替え時は消費パッチを作成し、表裏パッチの切り替え時でないときは、消費パッチ又は補正パッチを作成する処理である。
【００５１】
例えば、操作部３１を介してパッチ作成処理の実行指示が入力されたことをトリガとして、ＲＯＭから読み出されて適宜ＲＡＭに展開されたパッチ作成プログラムと、ＣＰＵとの協働によりパッチ作成処理が実行される。
【００５２】
予め、ユーザにより表裏モード有無設定部３１Ａを介して、表裏見当精度モードの有無が設定されているものとする。また、ユーザにより表裏倍率設定部３１Ｂを介して表裏倍率の設定がされているものとする。さらに、画像形成条件等の設定情報を含むジョブデータが設定されているものとする。
【００５３】
先ず、両面モードであるか否かが判別される（ステップＳ１１）。具体的には、ジョブデータに含まれる画像形成モード（片面に画像形成するのか、両面に画像形成をするのかについてのモード）に基づいて、本ステップの判別が行われる。
【００５４】
ステップＳ１１において、両面モードでないと判別された場合（ステップＳ１１；ＮＯ）、両面循環枚数が決定される（ステップＳ１２）。この場合、両面モードではないので、両面循環枚数は「０」に決定される。
【００５５】
そして、画像形成動作が終了したか否かが判別される（ステップＳ１３）。具体的には、画像形成する枚数分の用紙に対して、画像形成部１０３による画像形成動作の実行が終了したか否かに基づいて、本ステップの判別が行われる。
【００５６】
ステップＳ１３において、画像形成動作が終了していないと判別された場合（ステップＳ１３；ＮＯ）、パッチ作成処理は終了される。
【００５７】
ステップＳ１３において、画像形成動作が終了したと判別された場合（ステップＳ１３；ＹＥＳ）、紙間に補正パッチ又は消費パッチが作成される（ステップＳ１４）。ステップＳ１４の実行後、ステップＳ１３に移行される。
【００５８】
ステップＳ１１において、両面モードであると判別された場合（ステップＳ１１；ＹＥＳ）、表裏見当精度モードが有効であり、かつ、表裏倍率が異なるか否かが判別される（ステップＳ１５）。具体的には、ユーザにより表裏モード有無設定部３１Ａを介して設定された情報（表裏見当精度モードが「有効」又は「無効」の情報）に基づいて、表裏見当精度モードが有りか否かが判別される。また、ユーザにより表裏倍率設定部３１Ｂを介して設定された情報（−１００〜＋１００ｓｔｅｐ、０．０１％／ｓｔｅｐ）に基づいて、表裏倍率が異なるか否かが判別される。
【００５９】
ステップＳ１５において、表裏見当精度モードが有りでない場合、又は表裏見当精度モードは有りだが表裏倍率が異ならないと判別された場合（ステップＳ１５；ＮＯ）、ステップＳ１２に移行される。
【００６０】
ステップＳ１５において、表裏見当精度モードが有りであり、かつ、表裏倍率が異なると判別された場合（ステップＳ１５；ＹＥＳ）、両面循環枚数が決定される（ステップＳ１６）。この場合、用紙サイズ、給紙速度（ＡＤＵ機構内で用紙が循環する速度）及び表裏倍率切り替え動作に必要な時間に基づいて、両面循環枚数が決定される。このとき、両面循環枚数が決定されるとともに、表裏切り替えタイミングも決定される。
【００６１】
ステップＳ１６の実行後、画像形成動作が終了したか否かが判別される（ステップＳ１７）。具体的には、画像書き込み動作（Ｙ色、Ｍ色、Ｃ色、Ｋ色のトナー画像を感光体ドラム１Ｙ，１Ｍ，１Ｃ，１Ｋに書き込む動作）が終了したことを示す信号を全体制御部３０が受信したか否かに基づいて、本ステップの判別が行われる。ステップＳ１７において、画像形成動作が終了していないと判別された場合（ステップＳ１７；ＮＯ）、パッチ作成処理は終了される。
【００６２】
ステップＳ１７において、画像形成動作が終了していると判別された場合（ステップＳ１７；ＹＥＳ）、ポリゴンモータの駆動速度が微調整され、表裏の画像倍率が切り替えられる。このとき、ボリゴンモータの駆動速度を微調整する時間（調整時間）は、数百ｍｓｅｃの時間を要する。このため、高速で用紙間隔が短い画像形成装置では両面循環枚数を減らし、循環する用紙の間隔を広げることで調整時間の確保が行われる。
【００６３】
そして、表裏切り替えタイミングであるか否かが判別される（ステップＳ１８）。具体的には、ステップＳ１６において決定された表裏切り替えタイミングに基づいて、本ステップの判別が行われる。
【００６４】
ステップＳ１８において、表裏切り替えタイミングでないと判別された場合（ステップＳ１８；ＮＯ）、紙間に補正パッチ又は消費パッチが作成される（ステップＳ１９）。
【００６５】
ステップＳ１８において、表裏切り替えタイミングであると判別された場合（ステップＳ１８；ＹＥＳ）、紙間パッチ（紙間に作成されるパッチ）が補正パッチであるか否かが判別される（ステップＳ２０）。具体的には、紙間に作成されるパッチが補正パッチであるか消費パッチであるかのデータに基づいて、本ステップの判別が行われる。
【００６６】
ステップＳ２０において、紙間パッチが補正パッチでないと判別された場合（ステップＳ２０；ＮＯ）、消費パッチが作成される（ステップＳ２１）。ステップＳ２１の実行後、ステップＳ１７に移行される。
【００６７】
ステップＳ２０において、紙間パッチが補正パッチであると判別された場合（ステップＳ２０；ＹＥＳ）、紙間パッチが消費パッチに変更される（ステップＳ２２）。ステップＳ２２の実行後、ステップＳ１７に移行される。
【００６８】
次に、図５を参照して、図４に示すパッチ作成処理の四角部分（ステップＳ１８〜Ｓ２２の部分）を変形した変形処理１について説明する。以下、図４に示すパッチ作成処理と異なる部分を主として説明する。
【００６９】
ステップＳ３１，３２，３３は、ステップＳ１８，１９，２０と同様である。ステップＳ３３において、紙間パッチは補正パッチと判別された場合（ステップＳ３３；ＹＥＳ）、ポリゴンモータ切り替え、紙間パッチ作成の順に処理は可能か否かが判別される（ステップＳ３４）。具体的には、ポリゴンモータの切り替え動作と紙間パッチ作成の動作とを順に実施する実施時間が、両面に画像形成される用紙間の間隔時間（ＡＤＵ機構に循環される用紙と用紙との間の距離と給紙速度とにより定まる間隔時間）に収まるか否かに基づいて、本ステップの判別が行われる。ステップＳ３３において、紙間パッチは補正パッチでないと判別された場合（ステップＳ３３；ＮＯ）、ステップＳ３２に移行される。
【００７０】
ステップＳ３４において、ポリゴンモータ切り替え、紙間パッチ作成の順に処理は可能でないと判別された場合（ステップＳ３４；ＮＯ）、紙間に作成するパッチが消費パッチに変更される（ステップＳ３５）。
【００７１】
ステップＳ３４において、ポリゴンモータ切り替え、紙間パッチ作成の順に処理は可能であると判別された場合（ステップＳ３４；ＹＥＳ）、紙間に補正パッチが作成される（ステップＳ３６）。
【００７２】
次に、図６を参照して、図４に示すパッチ作成処理の四角部分（ステップＳ１８〜Ｓ２２の部分）を変形した変形処理２について説明する。以下、図４に示すパッチ作成処理と異なる部分を主として説明する。
【００７３】
ステップＳ４１，４２は、ステップＳ１８，１９と同様である。ステップＳ４１において、表裏切り替えタイミングであると判別された場合（ステップＳ４１；ＹＥＳ）、紙間パッチの作成が不可に設定される（ステップＳ４３）。ステップＳ４１において、表裏切り替えタイミングでないと判別された場合（ステップＳ４１；ＮＯ）、ステップＳ４２に移行される。
【００７４】
以上、本実施の形態によれば、表裏切り替えタイミング（表面と裏面との画像倍率の調整の際）のとき、補正用のパッチトナー像（補正パッチ）は作成されない。これにより、補正パッチが正常に形成されなくて所望の補正効果が得られないことを防ぐことができるので、パッチ（補正パッチ）による補正の効果を妨げることなく、表裏倍率切り替え制御と紙間パッチ制御とを両立することができる。
【００７５】
また、表裏切り替えタイミングに、消費用のパッチトナー像（消費パッチ）を作成するので、表面と裏面との画像倍率の調整と、消費パッチの作成とを同時に行うことができ、生産性が落ちることを防ぐことができる。
【００７６】
また、１つの紙間で表裏倍率切り替え制御と紙間パッチ制御との２つの制御を行う場合であっても、両制御を順に実施することにより、両制御を両立して実施（両制御を正常に実施）することができる。
【００７７】
また、実施時間が間隔時間に収まるか否かに基づいて、必要な制御（表裏倍率切り替え制御及び紙間パッチ制御）を実施することができるので、生産性が落ちることを防ぐことができる。例えば、実施時間が間隔時間に収まらなかった場合に、補正パッチを作成するタイミングを別の紙間へずらすといった制御を行うことで、生産性が落ちることを防ぐことができる。
【００７８】
また、表裏倍率切り替え動作時には紙間パッチ制御を実施しないので、表裏倍率切り替え制御時であることを考慮して紙間に作成するパッチの種類を変更するといった複雑な制御を行う必要がない。このため、複雑な制御を行うことなく、表裏倍率切り替え制御と紙間パッチ制御とを両立することができる。
【００７９】
なお、上記実施の形態における記述は、本発明に係る画像形成装置の一例であり、これに限定されるものではない。
【００８０】
例えば、上記実施の形態では、ポリゴンモータ制御部３３によりポリゴンモータの駆動速度を制御して画像倍率を調整することとしたがこれに限定されるものではない。例えば、画像形成プロセスのスピード（感光体ドラムや中間転写体の駆動スピード）を制御して画像倍率を調整することとしてもよい。
また、中間転写体６を介してトナー像を用紙に転写するプロセスの画像形成装置に限らず、中間転写体を介さずに感光体から直接、用紙にトナー像が転写されるプロセスの画像形成装置に、本発明を適用することも可能である。その場合は、感光体が本発明における像担持体として機能する。
【００８１】
その他、本実施の形態における、画像形成装置１００の細部構造及び詳細動作に関しても、本発明の趣旨を逸脱しない範囲で適宜変更可能である。
【符号の説明】
【００８２】
１Ｙ，１Ｍ，１Ｃ，１Ｋ      感光体ドラム
２Ｙ，２Ｍ，２Ｃ，２Ｋ      帯電手段
３Ｙ，３Ｍ，３Ｃ，３Ｋ      画像書き込みユニット
４Ｙ，４Ｍ，４Ｃ，４Ｋ      現像装置
６     中間転写体
７Ｙ，７Ｍ，７Ｃ，７Ｋ      １次転写ローラ
８Ａ   中間転写体用クリーニング手段
８Ｙ，８Ｍ，８Ｃ，８Ｋ      感光体ドラム用クリーニング手段
１０Ｙ，１０Ｍ，１０Ｃ，１０Ｋ     画像形成ユニット
１７   定着装置
２０Ａ，２０Ｂ，２０Ｃ      給紙カセット
２１   送り出しローラローラ
２２Ａ 給紙ローラ
２２Ｂ，２２Ｃ，２２Ｄ      搬送ローラ
２３   レジストローラ
２４   排紙ローラ
２５   排紙トレイ
２６   分岐手段
２７Ａ 循環通紙路
２７Ｂ 反転搬送路
２７Ｃ 再給紙搬送路
３０   全体制御部
３１   操作部
３１Ａ 表裏モード有無設定部
３１Ｂ 表裏倍率設定部
３２   エンジン制御部
３３   ポリゴンモータ制御部
３４   給紙制御部
３５   紙間パッチ制御部
１００ 画像形成装置
１０１ 画像形成装置本体
１０２ 画像読取装置
１０３ 画像形成部
２０１ 自動原稿給紙装置
２０２ 原稿画像走査露光装置
【図１】
2011100035.tif 000003
【図２】
2011100035.tif 000004
【図３】
2011100035.tif 000005
【図４】
2011100035.tif 000006
【図５】
2011100035.tif 000007
【図６】
2011100035.tif 000008